(57)【要約】【課題】簡単な構成で処理能力が高い受光ユニット検査装置を提供する。【解決手段】複数の筒１０１のそれぞれの一端は、リモコン受光ユニットＲＵ１，ＲＵ２，…，ＲＵｎの被検査デバイスＤ１，Ｄ２，…，Ｄｎに対向する。一方、複数の筒１０１のそれぞれの一端には、各筒１０１内に向けて光を出射する複数の信号源用発光素子Ｓ１，Ｓ２，…，Ｓｎが取り付けられている。したがって、複数の筒１０１のそれぞれの一端にリモコン受光ユニットＲＵ１，ＲＵ２，…，ＲＵｎの被検査デバイスＤ１，Ｄ２，…，Ｄｎを対向させ、かつ、複数の信号源用発光素子Ｓ１，Ｓ２，…，Ｓｎを同時に発光させることにより、被検査デバイスＤ１，Ｄ２，…，Ｄｎのうちの複数個を同時に検査することができる。【選択図】図４
2009068944.tif 000002
【特許請求の範囲】
【請求項１】
一端が受光ユニットの被検査デバイスに対向すると共に、不透明材から成る複数の筒と、
上記各筒の他端に取り付けられ、上記各筒内に向けて光を出射する複数の信号源用発光素子と、
上記複数の信号源用発光素子のうちの少なくとも一つからの光が通る光減衰器と、
上記信号源用発光素子に駆動電流を供給すると共に、上記被検査デバイスからの信号を受ける測定器と
を備えたことを特徴とする受光ユニット検査装置。
【請求項２】
請求項１に記載の受光ユニット検査装置において、
上記不透明材は導体であることを特徴とする受光ユニット検査装置。
【請求項３】
請求項１または２に記載の受光ユニット検査装置において、
上記信号源用発光素子と上記受光ユニットとの間の距離と、上記信号源用発光素子に供給する駆動電流との関係について予め求めたデータに基づいて、上記信号源用発光素子に供給する駆動電流を調整することを特徴とする受光ユニット検査装置。
【請求項４】
請求項１から３までのいずれか一項に記載の受光ユニット検査装置において、
上記光減衰器は、貫通穴が設けられた不透明体、または、光ファイバであることを特徴とする受光ユニット検査装置。
【請求項５】
請求項１から４までのいずれか一項に記載の受光ユニット検査装置において、
上記光減衰器は上記複数の筒の少なくとも一つ内に配置された光ファイバであり、
上記光ファイバの一端は上記信号源用発光素子に対向する一方、上記光ファイバの他端は上記被検査デバイスの受光面に対向し、
上記光ファイバは上記複数の筒の一つ内に複数あって、上記複数の光ファイバの一つの他端から出射した光は、上記複数の光ファイバの他の一つの他端から出射した光とは異なる角度で上記被検査デバイスの受光面に入射することを特徴とする受光ユニット検査装置。
【請求項６】
請求項５に記載の受光ユニット検査装置において、
上記複数の光ファイバのうちの１つで案内した光を所定の信号光として上記被検査デバイスの受光面に入射させると共に、上記複数の光ファイバのうちの他の１つで案内した光を外乱光として上記被検査デバイスの受光面に入射させることを特徴とする受光ユニット検査装置。
【請求項７】
請求項６に記載の受光ユニット検査装置において、
上記外乱光は、上記信号源用発光素子とは異なる構造の光源が出射した光であることを特徴とする受光ユニット検査装置。
【請求項８】
請求項１から７までのいずれか一項に記載の受光ユニット検査装置において、
上記光減衰器と上記被検査デバイスとの間に配置された光拡散板を備えたことを特徴とする受光ユニット検査装置。
【発明の詳細な説明】
【技術分野】
【０００１】
本発明は、例えば赤外線方式のリモコン受光ユニット等の検査に使用される受光ユニット検査装置に関する。
【背景技術】
【０００２】
リモコン受光ユニットの検査では、家電製品協会フォーマットやメーカー独自フォーマットの各種コードを受信したり、到達距離を変えたり、信号光の入射角度を変えて検査する。このため、検査条件の設定が煩雑で検査時間も長くなってしまうが問題があった。
【０００３】
特開２００６−１８０１３１号公報（特許文献１）には、図１４に示すように、ＮＤ（減光）フィルタ３０３を備えた受光ユニット検査装置が開示されている。上記ＮＤフィルタ３０３により、信号用発光素子３０１と受光ユニット３０２との間の距離が２０ｃｍ〜３０ｃｍであっても、信号用発光素子３０１と受光ユニット３０２との間の距離を２０ｃｍ〜３０ｃｍよりも長くした状態での検査と同等の検査を行うことができる。
【０００４】
また、特開２００３−２１４９８２号公報（特許文献２）には、発光素子の発光強度を正確に設定し得る受光ユニット検査装置が開示されている。
【０００５】
しかしながら、上記特許文献１，２の受光ユニット検査を用いても、上記問題を解決することができない。
【特許文献１】特開２００６−１８０１３１号公報
【特許文献２】特開２００３−２１４９８２号公報
【発明の開示】
【発明が解決しようとする課題】
【０００６】
そこで、本発明の課題は、簡単な構成で処理能力が高い受光ユニット検査装置を提供することにある。
【課題を解決するための手段】
【０００７】
上記課題を解決するため、本発明の受光ユニット検査装置は、
一端が受光ユニットの被検査デバイスに対向すると共に、不透明材から成る複数の筒と、
上記各筒の他端に取り付けられ、上記各筒内に向けて光を出射する複数の信号源用発光素子と、
上記複数の信号源用発光素子のうちの少なくとも一つからの光が通る光減衰器と、
上記信号源用発光素子に駆動電流を供給すると共に、上記被検査デバイスからの信号を受ける測定器と
を備えたことを特徴としている。
【０００８】
上記構成の受光ユニット検査装置によれば、上記各筒の一端に受光ユニットの被検査デバイスを対向させることによって、複数の被検査デバイスを同時に検査できるので、処理能力を向上させることができる。
【０００９】
また、上記複数の信号源用発光素子のうちの少なくとも一つからの光が光減衰器を通るので、この光減衰器を通った光を用いて、信号源用発光素子と被検査デバイスとの間の実際の距離よりも長い距離で行う検査と同等の検査を行うことができる。
【００１０】
また、上記各筒が不透明材からなるので、筒内の光が筒外に出て他の被検査デバイスの検査に悪影響を及ぼすのを防ぐことができる。
【００１１】
また、上記筒同士の間に１個以上の受光ユニットを配置できるように、筒同士の間隔を設定した場合、隣り合う２つの筒において、一方の筒で行う検査は、他方の筒で行う検査からの悪影響を受けにくい。この場合、上記筒同士の間に検査待ちの１個以上の受光ユニットを配置し、この受光ユニットのＧＮＤ（グランド）端子を接地すると、隣り合う筒同士の間でシールド効果が得られる。
【００１２】
一実施形態の受光ユニット検査装置では、
上記不透明材は導体である。
【００１３】
上記実施形態の受光ユニット検査装置によれば、上記筒が導体から成るので、電磁シールドをすることができる。
【００１４】
一実施形態の受光ユニット検査装置では、
上記信号源用発光素子と上記受光ユニットとの間の距離と、上記信号源用発光素子に供給する駆動電流との関係について予め求めたデータに基づいて、上記信号源用発光素子に供給する駆動電流を調整する。
【００１５】
上記実施形態の受光ユニット検査装置によれば、上記予め求めたデータに基づいて、信号源用発光素子に供給する駆動電流を調整すれば、信号源用発光素子と被検査デバイスとの間の実際の距離とは異なる複数の距離と同等の複数の検査を行うことができる。例えば、上記信号源用発光素子と被検査デバイスとの間の実際の距離が２０ｃｍ〜３０ｃｍ程度である場合、その実際の距離を変えなくても、信号源用発光素子への駆動電流を調整することにより、信号源用発光素子と被検査デバイスとの間の距離が６ｍ〜８ｍの検査と同等の検査を行うことができる。
【００１６】
したがって、上記受光ユニット検査装置を大型化することなく、信号源用発光素子と被検査デバイスとの間の距離を変えた検査を行うことができる。すなわち、上記受光ユニット検査装置は小型化できる。
【００１７】
一実施形態の受光ユニット検査装置では、
上記光減衰器は、貫通穴が設けられた不透明体、または、光ファイバである。
【００１８】
上記実施形態の受光ユニット検査装置によれば、上記光減衰器は貫通穴が設けられた不透明体であると、光を減衰させることができる。
【００１９】
また、上記光減衰器は光ファイバであると、信号源用発光素子から出射された光を光ファイバで被検査デバイスに確実に供給することができる。
【００２０】
一実施形態の受光ユニット検査装置では、
上記光減衰器は上記複数の筒の少なくとも一つ内に配置された光ファイバであり、
上記光ファイバの一端は上記信号源用発光素子に対向する一方、上記光ファイバの他端は上記被検査デバイスの受光面に対向し、
上記光ファイバは上記複数の筒の一つ内に複数あって、上記複数の光ファイバの一つの他端から出射した光は、上記複数の光ファイバの他の一つの他端から出射した光とは異なる角度で上記被検査デバイスの受光面に入射する。
【００２１】
上記実施形態の受光ユニット検査装置によれば、上記複数の光ファイバの一つの他端から出射した光は、複数の光ファイバの他の一つの他端から出射した光とは異なる角度で被検査デバイスの受光面に入射するから、受光面に対する信号光の入射角度を変えて行う検査を簡単に行うことができる。
【００２２】
一実施形態の受光ユニット検査装置では、
上記複数の光ファイバのうちの１つで案内した光を所定の信号光として上記被検査デバイスの受光面に入射させると共に、上記複数の光ファイバのうちの他の１つで案内した光を外乱光として上記被検査デバイスの受光面に入射させる。
【００２３】
上記実施形態の受光ユニット検査装置によれば、上記被検査デバイスの受光面に対して、複数の光ファイバのうちの１つで案内した光を所定の信号光として入射させると共に、複数の光ファイバのうちの他の１つで案内した光を外乱光として入射させるので、ノイズ検査を簡単に行うことができる。
【００２４】
一実施形態の受光ユニット検査装置では、
上記外乱光は、上記信号源用発光素子とは異なる構造の光源が出射した光である。
【００２５】
上記実施形態の受光ユニット検査装置によれば、上記外乱光は、信号源用発光素子とは異なる構造の光源が出射した光であるから、様々な環境に対応するノイズ検査を行うことができる。
【００２６】
一実施形態の受光ユニット検査装置では、
上記光減衰器と上記被検査デバイスとの間に配置された光拡散板を備える。
【００２７】
上記実施形態の受光ユニット検査装置によれば、上記光減衰器と被検査デバイスとの間に光拡散板が配置されているので、受光ユニットの受光面での光強度のムラが少なくなる。
【００２８】
したがって、上記筒の一端に対する受光ユニットの位置がずれても、受光ユニットに入射する光の強度変化が小さく、検査の信頼性を高めることができる。
【発明の効果】
【００２９】
本発明の受光ユニット検査装置によれば、各筒の一端に受光ユニットの被検査デバイスを対向させることによって、複数の被検査デバイスを同時に検査できるので、処理能力を向上させることができる。
【００３０】
すなわち、本発明の受光ユニット検査装置は、簡単な構成で処理能力が高いものである。
【発明を実施するための最良の形態】
【００３１】
以下、本発明の受光ユニット検査装置を図示の実施の形態により詳細に説明する。
【００３２】
（第１実施形態）
図１は本発明の第１実施形態のリモコン受光ユニット検査装置のブロック図である。
【００３３】
上記リモコン受光ユニット検査装置は、テストヘッド部ＴＨと、駆動ユニットＤＵと、スイッチ群ＳＷと、センサＳＥと、メインコントローラＭＣと、サブコントローラＳＣ１，ＳＣ２，…，ＳＣｎと、計測ユニットＭＵ１，ＭＵ２，…，ＭＵ３と、信号用発光素子Ｓ１，Ｓ２，…，Ｓｎと、コンタクトプローブＣＰ１，ＣＰ２，…，ＣＰｎとを備え、リモコン受光ユニットＲＵ１，ＲＵ２，…，ＲＵｎの被検査デバイスＤ１，Ｄ２，…，Ｄｎを検査する。なお、上記ｎは３以上の整数である。また、上記計測ユニットＭＵ１，ＭＵ２，…，ＭＵ３は測定器の一例である。
【００３４】
図２は上記リモコン受光ユニットＲＵ１，ＲＵ２，…，ＲＵｎの概略正面図であり、図３は上記リモコン受光ユニットＲＵ１，ＲＵ２，…，ＲＵｎの概略側面図である。
【００３５】
上記リモコン受光ユニットＲＵ１，ＲＵ２，…，ＲＵｎは、それぞれ、３本のリードピンＶｃｃ，Ｖｏｕｔ，ＧＮＤを有している。このリードピンＶｃｃは電源電圧端子、リードピンＶｏｕｔは出力端子、リードピンＧＮＤはグランド端子となる。そして、上記各リードピンＧＮＤはリードフレーム１００に接続されて、リモコン受光ユニットＲＵ１，ＲＵ２，…，ＲＵｎは一体になっている。また、上記リードフレーム１００から各リードピンＧＮＤを切り離すことにより、リモコン受光ユニットＲＵ１，ＲＵ２，…，ＲＵｎを互いに分離することができる。
【００３６】
図４は、上記リモコン受光ユニット検査装置の要部を正面から見た概略断面図である。また、図５は、上記リモコン受光ユニット検査装置の要部を側方から見た概略断面図である。
【００３７】
上記リモコン受光ユニット検査装置は、図４の左右方向（図５の紙面に対して垂直方向）に略等間隔に配置された複数の筒１０１と、各筒１０１内に配置された不透明体１０２と、各筒１０１内に配置され、不透明体１０２の貫通穴１０３からの光が通過する光拡散板１０４とを備えている。なお、上記不透明体１０２は光減衰器の一例である。
【００３８】
上記各筒１０１は不透明な導体から構成されている。また、上記各筒１０１の一端には信号用発光素子Ｓ１，Ｓ２，…，Ｓｎのうちの１個が固定されている。一方、上記各筒１０１の他端はリモコン受光ユニットＲＵ１，ＲＵ２，…，ＲＵｎのうちの１個に対向する。そして、上記筒１０１の配置間隔は、リモコン受光ユニットＲＵ１，ＲＵ２，…，ＲＵｎのうちの３個が筒１０１同士の間に入るように設定されている。
【００３９】
上記信号用発光素子Ｓ１，Ｓ２，…，Ｓｎから出射された光は、不透明体１０２の貫通穴１０３を通って光拡散板１０４を経由した後、リモコン受光ユニットＲＵ１，ＲＵ２，…，ＲＵｎに入射する。また、上記信号用発光素子Ｓ１，Ｓ２，…，Ｓｎには計測ユニットＭＵ１，ＭＵ２，…，ＭＵ３から駆動電流が供給される。
【００４０】
上記不透明体１０２は、貫通穴１０３を有して、各筒２０１内に１個づつ配置されている。そして、上記不透明体１０２は、信号用発光素子Ｓ１，Ｓ２，…，Ｓｎから出射された光に対して非透過性の材料、例えば、黒アルマイト処理された薄いアルミの板からなっている。
【００４１】
以下、上記リモコン受光ユニット検査装置による検査について説明する。
【００４２】
（１）  まず、作業者が、図１に示すテストヘッド部ＴＨに、リモコン受光ユニットＲＵ１，ＲＵ２，…，ＲＵｎ（図２参照）の被検査デバイスＤ１，Ｄ２，…，Ｄｎをセットした後、スイッチ群ＳＷが含むテストスタートスイッチを押す。そうすると、上記メインコントローラＭＣがテストスタート信号を受け取り、図４に示すように、被検査デバイスＤ１，Ｄ５，…を筒１０１の他端に対向させて位置決め・固定する。なお、図４において、上記被検査デバイスＤ１，Ｄ２，…，Ｄｎの位置決め・固定機構部は図示していない。
【００４３】
なお、上記テストヘッド部ＴＨでは、複数のリモコン受光ユニットＲＵ１，ＲＵ２，…，ＲＵｎを互いに分離して略等間隔に配置している。
【００４４】
（２）  次に、上記被検査デバイスＤ１，Ｄ５，…のそれぞれのリードピンＶｃｃ，Ｖｏｕｔ，ＧＮＤにコンタクトプローブＣＰ１，ＣＰ２，…が接続された後、メインコントローラＭＣがサブコントローラＳＣ１，ＳＣ２，…，ＳＣｎへ計測スタート信号を送出する。これにより、上記各サブコントローラＳＣ１，ＳＣ２，…，ＳＣｎはその計測スタート信号を受けて測定を開始する。また、上記各サブコントローラＳＣ１，ＳＣ２，…，ＳＣｎは同じ内容の検査を同時に実行する。
【００４５】
（３）  そして、上記各サブコントローラＳＣ１，ＳＣ２，…，ＳＣｎによる計測が終わると、メインコントローラＭＣは各サブコントローラＳＣ１，ＳＣ２，…，ＳＣｎから測定結果（判定結果）を受け取る。
【００４６】
（４）  その後、上記被検査デバイスＤ１，Ｄ５，…のそれぞれのリードピンＶｃｃ，Ｖｏｕｔ，ＧＮＤからコンタクトプローブＣＰ１，ＣＰ２，…を離間させ、図６に示すように、被検査デバイスＤ２，Ｄ６，…を筒１０１の他端に対向させて位置決め・固定する。
【００４７】
以降、上記（２）〜（４）と同様の動作を繰り返して、被検査デバイスＤ１，Ｄ５，…，Ｄｎの全てを検査する。
【００４８】
このように、上記各筒１０１の一端にリモコン受光ユニットＲＵ１，ＲＵ２，…，ＲＵｎの被検査デバイスＤ１，Ｄ２，…，Ｄｎを対向させることによって、複数の被検査デバイスＤ１，Ｄ２，…，Ｄｎを同時に検査できるので、被検査デバイスＤ１，Ｄ２，…，Ｄｎの検査を処理する能力は高くなっている。
【００４９】
また、上記信号用発光素子Ｓ１，Ｓ２，…，Ｓｎとリモコン受光ユニットＲＵ１，ＲＵ２，…，ＲＵｎとの間に、貫通穴１０３を有する不透明体１０２を配置しているので、信号源用発光素子Ｓ１，Ｓ２，…，Ｓｎから出射された光の強度を不透明体１０２で小さくすることができる。
【００５０】
したがって、上記信号用発光素子Ｓ１，Ｓ２，…，Ｓｎとリモコン受光ユニットＲＵ１，ＲＵ２，…，ＲＵｎとの間の実際の距離よりも長い距離を進んだ光と同等の光強度を有する光を、リモコン受光ユニットＲＵ１，ＲＵ２，…，ＲＵｎの受光面に入射させることができる。例えば、上記リモコン受光ユニットＲＵ１，ＲＵ２，…，ＲＵｎが使用される状態と同等の状態で検査を行うことができる。
【００５１】
また、上記不透明体１０２とリモコン受光ユニットＲＵ１，ＲＵ２，…，ＲＵｎとの間に光拡散板１０４を配置しているので、リモコン受光ユニットＲＵ１，ＲＵ２，…，ＲＵｎの受光面での光強度のムラが少なくなる。
【００５２】
したがって、上記リモコン受光ユニットＲＵ１，ＲＵ２，…，ＲＵｎの固定位置がずれても、リモコン受光ユニットＲＵ１，ＲＵ２，…，ＲＵｎに入射する光の強度変化が小さく、検査の信頼性を高めることができる。
【００５３】
上記検査では、後述する光強度校正用サンプル１５０を用いて、リモコン受光ユニットＲＵ１，ＲＵ２，…，ＲＵｎの受光面に入射する光の強度が、図１３に示す実使用状態の距離（６ｍ〜８ｍ）を進んだ光の強度と等しくなるように、信号源用発光素子Ｓ１，Ｓ２，…，Ｓｎに供給する駆動電流を調節している。
【００５４】
以下、上記光強度校正用サンプルの構造と光強度校正用データの取り方について説明する。
【００５５】
上記光強度校正用サンプル１５０は、図７に示す構造を有している。より詳しくは、上記光強度校正用サンプル１５０は、受光素子１５１、アンプ１５２、コンデンサ１５３，１５５、リミッタ１５４、バンドパスフィルタ１５６、復調器１５７、積分器１５８および比較器１５９を有している。また、上記光強度校正用サンプル１５０には、グランド端子ＧＮＤ、電源電圧端子Ｖｃｃ、出力端子Ｖｏｕｔの他にバンドパスフィルタ出力端子ＢＰＦが設けられている。このグランド端子ＧＮＤ、電源電圧端子Ｖｃｃ、バンドパスフィルタ出力端子ＢＰＦは図示しないリードフレームにワイヤボンディングされている。また、上記バンドパスフィルタ出力端子ＢＰＦから出力される信号電圧は、復調器１６０、積分器１６１および増幅器回路１６２を介して、光強度校正用サンプル１５０の出力電圧として取り出される。
【００５６】
また、上記光強度校正用サンプル１５０のレンズ部分（図示せず）は、リモコン受光ユニットＲＵ１，ＲＵ２，…，ＲＵｎと同じモールド金型を使って成型してあるので、光強度校正用サンプル１５０はリモコン受光ユニットＲＵ１，ＲＵ２，…，ＲＵｎと同じ光学特性を持つ。
【００５７】
この光強度校正用サンプル１５０と信号用発光素子Ｓ１とを向かい合わせて、光強度校正用サンプル１５０と信号用発光素子Ｓ１との間の距離ｄを変えて、光強度校正用サンプル１５０の出力電圧を測定する。
【００５８】
図８は、上記光強度校正用サンプル１５０の出力電圧と上記距離ｄとの関係を示すグラフである。
【００５９】
上記グラフから、信号用発光素子Ｓ１に供給する駆動電流と、距離ｄとの関係を示す光強度校正用データを予め求めておく。この光強度校正用データを検査時に用いて、各信号用発光素子Ｓ１，Ｓ２，…，Ｓｎからの光強度が所定の到達距離に相当する光強度になるように各信号源発光素子Ｓ１，Ｓ２，…，Ｓｎの駆動電流を調節する。つまり、上記リモコン受光ユニットＲＵ１，ＲＵ２，…，ＲＵｎの受光面に入射する光の強度が、所定の距離を進んだ光の強度と等しくなるように、信号源用発光素子Ｓ１，Ｓ２，…，Ｓｎに供給する駆動電流を調節する。
【００６０】
上記第１実施形態では、筒１０１は不透明な導体で構成されていたが、不透明な半導体または非導体で構成してもよい。
【００６１】
（第２実施形態）
図９は、本発明の第２実施形態のリモコン受光ユニット検査装置の要部を正面から見た概略断面図である。また、図１０は、上記リモコン受光ユニット検査装置の要部を側方から見た概略断面図である。
【００６２】
上記リモコン受光ユニット検査装置は、図９の左右方向（図１０の紙面に対して垂直方向）に略等間隔に配置された複数の筒２０１と、各筒２０１内に配置された複数の光ファイバ２０２と、この光ファイバ２０２からの光が通過する光拡散板２０４とを備えている。なお、上記光ファイバ２０２は光減衰器の一例である。また、図９，図１０の角度θは、検査条件として決められた角度（例えば、３０°）に設定されている。
【００６３】
上記各筒２０１は不透明な導体から構成されている。また、上記各筒２０１の一端には、信号用発光素子Ｓ１０，Ｓ１１，…，Ｓｎのうちの５個が取り外し可能に取り付けられている（図１２参照）。一方、上記各筒２０１の他端はリモコン受光ユニットＲＵ１，ＲＵ２，…，ＲＵｎのうちの１個に対向する。そして、上記筒２０１の配置間隔は、リモコン受光ユニットＲＵ１，ＲＵ２，…，ＲＵｎのうちの３個が筒２０１同士の間に入るように設定されている。
【００６４】
なお、上記ｎは１９以上の整数である。
【００６５】
上記信号用発光素子Ｓ１０，Ｓ１１，…，Ｓｎから出射された光は、光ファイバ２０２を通って光拡散板２０４を経由した後、リモコン受光ユニットＲＵ１，ＲＵ２，…，ＲＵｎに入射する。
【００６６】
上記光ファイバ２０２は、図１１に示すように、各筒２０２内に５本づつ配置されている。この５本の光ファイバ２０２は、それぞれ、一端が１個の信号用発光素子Ｓ１０，Ｓ１１，…，Ｓｎに対向し、かつ、他端が１個の光拡散板２０４に対向している。つまり、上記光ファイバ２０２の個数と、信号用発光素子Ｓ１０，Ｓ１１，…，Ｓｎの個数と、光拡散板２０４の個数との関係は、１対１対１対の関係になっている。なお、上記光ファイバ２０２は、マルチモード光ファイバであってもよいし、シングルモード光ファイバであってもよい。
【００６７】
上記光拡散板２０４は各筒２０２内に５個づつ配置されている。この５個の光拡散板２０４のうちの１個から出た光は、リモコン受光ユニットＲＵ１，ＲＵ２，…，ＲＵｎの受光面に垂直に入射する。また、上記５個の光拡散板２０４のうちの他の４個から出た光は、リモコン受光ユニットＲＵ１，ＲＵ２，…，ＲＵｎの受光面に角度θで入射する（図９，図１０参照）。
【００６８】
また、上記リモコン受光ユニット検査装置は、上記第１実施形態と同様に、図１に示したテストヘッド部ＴＨ、駆動ユニットＤＵ、スイッチ群ＳＷ、センサＳＥ、メインコントローラＭＣ、サブコントローラＳＣ１，ＳＣ２，…，ＳＣｎ、計測ユニットＭＵ１，ＭＵ２，…，ＭＵ３と、信号用発光素子Ｓ１０，Ｓ１１，…，Ｓｎ、コンタクトプローブＣＰ１，ＣＰ２，…，ＣＰｎを備えている。但し、本第２実施形態では、１個の計測ユニットＭＵ１，ＭＵ２，…，ＭＵ３に対して５個の信号用発光素子Ｓ１０，Ｓ１１，…，Ｓｎが接続されている点が上記第１実施形態とは異なっている。また、上記計測ユニットＭＵ１，ＭＵ２，…，ＭＵ３が信号用発光素子Ｓ１０，Ｓ１１，…，Ｓｎに駆動電流を供給する点は、上記第１実施形態と同じである。
【００６９】
上記構成のリモコン受光ユニット検査装置によれば、リモコン受光ユニットＲＵ１，ＲＵ２，…，ＲＵｎの受光面に対して略垂直に信号が入射する検査では信号源発光素子Ｓ１０を発光させ、また、リモコン受光ユニットＲＵ１，ＲＵ２，…，ＲＵｎの受光面に対して斜めに信号が入射する検査では信号源発光素子Ｓ１１、Ｓ１２、Ｓ１３、Ｓ１４のいずれかを発光させる。
【００７０】
また、上記リモコン受光ユニットＲＵ１，ＲＵ２，…，ＲＵｎの耐外乱光動作検査では、信号源発光素子Ｓ１０の出射光を信号光とし、信号源発光素子Ｓ１１，Ｓ１２，Ｓ１３，Ｓ１４のうちの１個の出射光を外乱光とする。より詳しくは、上記耐外乱光動作検査では、信号源発光素子Ｓ１０と、信号源発光素子Ｓ１１，Ｓ１２，Ｓ１３，Ｓ１４のうちの１個とを同時に発光させる。ここでは、上記信号源発光素子Ｓ１１，Ｓ１２，Ｓ１３，Ｓ１４のうちの１個の出射光は、リモコン受光ユニットＲＵ１，ＲＵ２，…，ＲＵｎの受光面に到達したときに例えば自然光３００ルクスと同等の一定強度を有するように設定されている。
【００７１】
また、上記リモコン受光ユニットＲＵ１，ＲＵ２，…，ＲＵｎの他の耐外乱光動作検査では、信号源発光素子Ｓ１１，Ｓ１２，Ｓ１３，Ｓ１４のうちの１個を例えばインバータ蛍光灯等の光源に変えて、この光源の出射光を外乱光とし、信号源発光素子Ｓ１０の出射光を信号光とする。
【００７２】
また、上記リモコン受光ユニット検査装置も、図７の光強度校正用サンプル１５０を用いて、リモコン受光ユニットＲＵ１，ＲＵ２，…，ＲＵｎの受光面に入射する光の強度が、実使用状態の距離（６ｍ〜８ｍ）を進んだ光の強度と等しくなるように、信号源用発光素子Ｓ１０，Ｓ１１，…，Ｓｎに供給する駆動電流を調節している。
【００７３】
上記第２実施形態では、筒２０１は不透明な導体で構成されていたが、不透明な半導体または非導体で構成してもよい。
【００７４】
上記第２実施形態では、信号用発光素子Ｓ１０が出射した光はリモコン受光ユニットＲＵ１，ＲＵ２，…，ＲＵｎの受光面に垂直に入射し、かつ、信号用発光素子Ｓ１１，…，Ｓ１４が出射した光はリモコン受光ユニットＲＵ１，ＲＵ２，…，ＲＵｎの受光面に角度θで入射していたが、信号用発光素子Ｓ１０，Ｓ１１，…，Ｓ１４が出射した光がリモコン受光ユニットＲＵ１，ＲＵ２，…，ＲＵｎの受光面に互いに異なる角度で入射するようにしてもよい。
【００７５】
上記第２実施形態のリモコン受光ユニット検査装置は、複数の筒２０１と、上記第１実施形態の複数の筒１０１とを備えてもよい。
【００７６】
上記第２実施形態では、５個の信号用発光素子Ｓ１０，Ｓ１１，…，Ｓ１４が出射した光を光ファイバ２０２でリモコン受光ユニットＲＵ１へ案内していたが、例えば４個の信号用発光素子Ｓ１０，Ｓ１１，…，Ｓ１３が出射した光を光ファイバ２０２でリモコン受光ユニットＲＵ１へ案内し、かつ、１個の信号用発光素子Ｓ１４が出射した光を光ファイバ２０２で案内せずにリモコン受光ユニットＲＵ１に入射させてもよい。
【００７７】
すなわち、上記複数の信号用発光素子Ｓ１０，Ｓ１１，…のうちの少なくとも１つからの光が光ファイバ２０２を介してリモコン受光ユニットＲＵ１，ＲＵ２，…に入射すればよい。
【図面の簡単な説明】
【００７８】
【図１】図１は本発明の第１実施形態のリモコン受光ユニット検査装置のブロック図である。
【図２】図２はリモコン受光ユニットの概略正面図である。
【図３】図３は上記リモコン受光ユニットの概略側面図である。
【図４】図４は上記第１実施形態のリモコン受光ユニット検査装置の要部の概略断面図である。
【図５】図５は上記第１実施形態のリモコン受光ユニット検査装置の要部の他の概略断面図である。
【図６】図６は上記第１実施形態のリモコン受光ユニット検査装置による検査を説明するための概略断面図である。
【図７】図７は光強度校正用サンプルの概略構成図である。
【図８】図８は上記光強度校正用サンプルの出力電圧と距離との関係を示すグラフである。
【図９】図９は本発明の第２実施形態のリモコン受光ユニット検査装置の要部の概略断面図である。
【図１０】図１０は上記第２実施形態のリモコン受光ユニット検査装置の要部の概略断面図である。
【図１１】図１１は上記第２実施形態の光ファイバおよび光拡散板をリモコン受光ユニット側から見た概略図である。
【図１２】図１２は上記第２実施形態の信号用発光素子をリモコン受光ユニット側とは反対側から見た概略図である。
【図１３】図１３は上記第１，第２実施形態のリモコン受光ユニットの実使用状態を示す概略図である。
【図１４】図１４は従来の受光ユニット検査装置の概略構成図である。
【符号の説明】
【００７９】
１０１，２０１  筒
１０２  不透明体
１０３  貫通穴
１０４，２０４  光拡散板
２０２  光ファイバ
Ｓ１，Ｓ２，…，Ｓｎ  信号用発光素子
ＲＵ１，ＲＵ２，…，ＲＵｎ  リモコン受光ユニット
Ｄ１，Ｄ２，…，Ｄｎ  被検査デバイス
ＭＵ１，ＭＵ２，…，ＭＵ３  計測ユニット
【図１】
2009068944.tif 000003
【図２】
2009068944.tif 000004
【図３】
2009068944.tif 000005
【図４】
2009068944.tif 000006
【図５】
2009068944.tif 000007
【図６】
2009068944.tif 000008
【図７】
2009068944.tif 000009
【図８】
2009068944.tif 000010
【図９】
2009068944.tif 000011
【図１０】
2009068944.tif 000012
【図１１】
2009068944.tif 000013
【図１２】
2009068944.tif 000014
【図１３】
2009068944.tif 000015
【図１４】
2009068944.tif 000016